(57)【要約】【課題】小型且つ簡素な構成で、水素ガスを効果的に除湿できる水電解システム及びその制御方法を提供する。【解決手段】水電解システム１０は、酸素ガスよりも高圧の水素ガスを製造する。ペルチェ冷却器８４は、水素ガス流路１８の気液分離器８０と背圧弁２０との間に設けられ、水素ガスを冷却して除湿する。温度センサ８６は、ペルチェ冷却器８４の周辺温度を測定して温度測定値を出力する。圧力センサ７８は、水素ガス流路１８のカソード１４と背圧弁２０との間の水素ガスの圧力を測定して圧力測定値を出力する。制御部２２は、温度測定値が、圧力測定値に対応する水の凝固点を超える目標温度となるように、ペルチェ冷却器８４による冷却温度を制御する。目標温度の少なくとも一部は、圧力測定値が高いほど低くなる。【選択図】図１
2020176309.tif 000002
【特許請求の範囲】
【請求項１】
水を電気分解して酸素ガスを発生させるアノード及び水素ガスを発生させるカソードを有する水電解装置と、前記カソードで発生した前記水素ガスを流通させる水素ガス流路に設けられた背圧弁とを備え、前記酸素ガスよりも高圧の前記水素ガスを製造する水電解システムであって、
前記水素ガス流路の前記カソードと前記背圧弁との間に設けられ前記水素ガスから水分を分離する気液分離器と、
前記水素ガス流路の前記気液分離器と前記背圧弁との間であって前記気液分離器よりも高い位置に設けられ、前記気液分離器で水分が分離された前記水素ガスをペルチェ素子により冷却することで、該水素ガスに含まれる水分をさらに分離するペルチェ冷却器と、
前記ペルチェ冷却器の温度又は該ペルチェ冷却器の周辺の温度を測定して温度測定値を出力する温度センサと、
前記水素ガス流路の前記カソードと前記背圧弁との間の前記水素ガスの圧力を測定して圧力測定値を出力する圧力センサと、
前記圧力測定値及び前記温度測定値に基づき、前記温度測定値が、前記圧力測定値に対応する水の凝固点を超える目標温度となるように、前記ペルチェ冷却器による冷却温度を制御する制御部と、
を備え、
前記目標温度の少なくとも一部は、前記圧力測定値が高いほど低くなる水電解システム。
【請求項２】
請求項１記載の水電解システムにおいて、
前記水素ガス流路の前記カソードと前記ペルチェ冷却器との間に設けられ、前記水素ガス流路の前記カソードと前記背圧弁との間を脱圧可能な脱圧弁を備え、
前記制御部は、前記温度測定値が前記目標温度より低く設定された下限温度を下回った場合又は前記目標温度より高く設定された上限温度を上回った場合に前記脱圧弁を開弁する、水電解システム。
【請求項３】
請求項１又は２記載の水電解システムにおいて、
前記制御部は、前記冷却温度を制御して、前記温度測定値を予め設定された開始温度とした後に、前記水電解装置による水の電気分解を開始する、水電解システム。
【請求項４】
請求項１〜３の何れか１項に記載の水電解システムにおいて、
前記目標温度の少なくとも一部は、０℃以下となる、水電解システム。
【請求項５】
水を電気分解して酸素ガスを発生させるアノード及び水素ガスを発生させるカソードを有する水電解装置と、前記カソードで発生した前記水素ガスを流通させる水素ガス流路に設けられた背圧弁とを備え、前記酸素ガスよりも高圧の前記水素ガスを製造する水電解システムの制御方法であって、
前記水電解装置による水の電気分解を開始する水電解工程と、
前記水素ガス流路の前記カソードと前記背圧弁との間の前記水素ガスの圧力を測定して圧力測定値を得る圧力測定工程と、
前記水素ガス流路の前記カソードと前記背圧弁との間に設けられるペルチェ冷却器の温度又は前記ペルチェ冷却器の周辺の温度を測定して得られる温度測定値が、前記圧力測定値に対応する水の凝固点を超える目標温度となるように、前記ペルチェ冷却器による冷却温度を制御する冷却温度制御工程と、
を有し、
前記目標温度の少なくとも一部は、前記圧力測定値が高いほど低くなる水電解システムの制御方法。
【請求項６】
請求項５記載の水電解システムの制御方法において、
前記冷却温度制御工程の後、前記温度測定値が前記目標温度より低く設定された下限温度以上且つ前記目標温度より高く設定された上限温度以下の範囲にあるか否かを判定する脱圧判定工程を行い、
前記脱圧判定工程で、前記温度測定値が下限温度以上且つ上限温度以下の範囲にないと判定した場合、前記水素ガス流路の前記カソードと前記背圧弁との間に設けられた脱圧弁を開弁して、前記水素ガス流路の前記カソードと前記背圧弁との間を脱圧する脱圧工程を行う、水電解システムの制御方法。
【請求項７】
請求項５又は６記載の水電解システムの制御方法において、
前記温度測定値が予め設定された開始温度となるように、前記冷却温度を制御する準備工程を行った後に、前記水電解工程を行う、水電解システムの制御方法。
【請求項８】
請求項５〜７の何れか１項に記載の水電解システムの制御方法において、
前記目標温度の少なくとも一部は、０℃以下となる、水電解システムの制御方法。
【発明の詳細な説明】
【技術分野】
【０００１】
本発明は、水を電気分解して酸素ガスを発生させるアノード及び水素ガスを発生させるカソードを有する水電解装置を備える水電解システム及びその制御方法に関する。
【背景技術】
【０００２】
一般的に、燃料電池の発電反応に使用される燃料ガスとして、水素ガスが使用されている。この水素ガスは、例えば、水電解装置を備える水電解システムにより製造することができる。水電解装置は、水を分解して水素ガス（及び酸素ガス）を発生させるべく、固体高分子電解質膜（イオン交換膜）を用いている。固体高分子電解質膜の両面に電極触媒層及び給電体を設けて電解質膜・電極構造体を構成し、該電解質膜・電極構造体の両側にセパレータを配設して単位セルを構成する。固体高分子電解質膜の一方の電極触媒層及び給電体からアノードが構成され、他方の電極触媒層及び給電体からカソードが構成される。
【０００３】
複数の単位セルが積層されたセルユニットには、積層方向両端に電圧が付与されるとともに、アノード側の給電体に水が供給される。このため、アノード側の電極触媒層では、水が分解されて水素イオン（プロトン）と酸素ガスが発生し、この水素イオンが固体高分子電解質膜を透過してカソード側に移動し、カソード側の電極触媒層で電子と結合することで水素ガスが発生する。一方、アノードで発生した酸素ガスは、余剰（未反応）の水を伴ってセルユニットから排出される。
【０００４】
上記の水電解装置のカソードでは、水分を含んだ水素ガス（以下、非処理水素ガスともいう）が発生するが、例えば、燃料電池自動車等に供給される製品水素ガスは、所望の乾燥状態（水濃度）、例えば、水分量が５ｐｐｍ以下であることが要求される。そこで、例えば、特許文献１には、水電解装置で発生させた非処理水素ガスから水分を分離して除湿水素ガスを製造する水電解システムが提案されている。この水電解システムは、非処理水素ガスを冷却する冷却装置を備え、該冷却装置により非処理水素ガスを冷却してその飽和水蒸気量を低下させることで、非処理水素ガスから水分を分離して除湿水素ガスを製造する。
【０００５】
また、この水電解システムでは、製造した除湿水素ガスを外部に供給するための供給口と、水電解装置のカソードとの間であって、冷却装置よりも後段に背圧弁が設けられている。このため、カソードと背圧弁との間の水素ガスの圧力は、水電解装置で継続的に水素ガスが発生することに伴い、背圧弁が開弁する設定圧力まで上昇する。冷却装置では、非処理水素ガスが高圧であるほど、その飽和水蒸気量が減少する傾向にあるため、少ない冷却量でも非処理水素ガスを所定の水分濃度まで除湿することが可能となる。
【０００６】
そこで、冷却装置による消費電力が、非処理水素ガスを所定の水分濃度まで除湿できる最小限の大きさとなるように、非処理水素ガスの圧力に応じて冷却装置に加えられる電流値を調整している。すなわち、非処理水素ガスの圧力が大きくなるほど、冷却装置に加えられる電流値を小さくしている。これによって、例えば、消費電力が大きくなり易い温度変動吸着方法（ＴＳＡ）や、設備が複雑で大掛かりとなり易い圧力変動吸着方法（ＰＳＡ）、頻繁なメンテナンスを必要とする交換式の吸着剤を用いる方法等とは異なり、消費電力を可及的に抑制しつつ、小型で簡素な構成により経済的に非処理水素ガスの除湿を行うことを可能としている。
【先行技術文献】
【特許文献】
【０００７】
【特許文献１】特開２０１３−４９９０６号公報
【発明の概要】
【発明が解決しようとする課題】
【０００８】
本発明は、この種の技術に関連してなされたものであり、小型且つ簡素な構成で、水素ガスを効果的に除湿できる水電解システム及びその制御方法を提供することを目的とする。
【課題を解決するための手段】
【０００９】
本発明の一実施形態は、水を電気分解して酸素ガスを発生させるアノード及び水素ガスを発生させるカソードを有する水電解装置と、前記カソードで発生した前記水素ガスを流通させる水素ガス流路に設けられた背圧弁とを備え、前記酸素ガスよりも高圧の前記水素ガスを製造する水電解システムであって、前記水素ガス流路の前記カソードと前記背圧弁との間に設けられ前記水素ガスから水分を分離する気液分離器と、前記水素ガス流路の前記気液分離器と前記背圧弁との間であって前記気液分離器より高い位置に設けられ、前記気液分離器で水分が分離された前記水素ガスをペルチェ素子により冷却することで、該水素ガスに含まれる水分をさらに分離するペルチェ冷却器と、前記ペルチェ冷却器の温度又は該ペルチェ冷却器の周辺の温度を測定して温度測定値を出力する温度センサと、前記水素ガス流路の前記カソードと前記背圧弁との間の前記水素ガスの圧力を測定して圧力測定値を出力する圧力センサと、前記圧力測定値及び前記温度測定値に基づき、前記温度測定値が、前記圧力測定値に対応する水の凝固点を超える目標温度となるように、前記ペルチェ冷却器による冷却温度を制御する制御部と、を備え、前記目標温度の少なくとも一部は、前記圧力測定値が高いほど低くなる。
【００１０】
本発明の別の一実施形態は、水を電気分解して酸素ガスを発生させるアノード及び水素ガスを発生させるカソードを有する水電解装置と、前記カソードで発生した前記水素ガスを流通させる水素ガス流路に設けられた背圧弁とを備え、前記酸素ガスよりも高圧の前記水素ガスを製造する水電解システムの制御方法であって、前記水電解装置による水の電気分解を開始する水電解工程と、前記水素ガス流路の前記カソードと前記背圧弁との間の前記水素ガスの圧力を測定して圧力測定値を得る圧力測定工程と、前記水素ガス流路の前記カソードと前記背圧弁との間に設けられるペルチェ冷却器の温度又は前記ペルチェ冷却器の周辺の温度を測定して得られる温度測定値が、前記圧力測定値に対応する水の凝固点を超える目標温度となるように、前記ペルチェ冷却器による冷却温度を制御する冷却温度制御工程と、を有し、前記目標温度の少なくとも一部は、前記圧力測定値が高いほど低くなる。
【発明の効果】
【００１１】
水素ガスに含まれる水の凝固点は、該水素ガスの圧力に応じて変化し、水素ガスが高圧であるほど水の凝固点は降下し、水素ガスが低圧であるほど水の凝固点は上昇する。この水電解システムのペルチェ冷却器では、温度測定値が、水素ガスの圧力測定値に対応する水の凝固点を超える目標温度となるように水素ガスを冷却する。目標温度の少なくとも一部は、圧力測定値が高いほど低くなる。このため、上記のように水素ガスを冷却することで、水素ガスに含まれる水分が凍結しない範囲で、該水素ガスを凝固点に近づけて、飽和水蒸気量を効果的に低減させることが可能となる。その結果、ペルチェ冷却器を用いた小型且つ簡素な構成で、水素ガスを効果的に除湿することが可能となる。
【図面の簡単な説明】
【００１２】
【図１】本発明の実施形態に係る水電解システムの概略構成説明図である。
【図２】水素圧力と、水の凝固点と、オン温度と、オフ温度と、下限温度と、上限温度との関係を示すマップ図である。
【図３】本発明の実施形態に係る水電解システムの制御方法を説明するフローチャートである。
【発明を実施するための形態】
【００１３】
本発明に係る水電解システム及びその制御方法について好適な実施形態を挙げ、添付の図面を参照しながら詳細に説明する。なお、以下の図において、同一又は同様の機能及び効果を奏する構成要素に対しては同一の参照符号を付し、繰り返しの説明を省略する場合がある。
【００１４】
図１に示すように、本実施形態に係る水電解システム１０は、水（純水）を電気分解して、酸素ガスを発生させるアノード１２及び水素ガスを発生させるカソード１４を有する水電解装置１６と、カソード１４で発生した水素ガスを流通させる水素ガス流路１８に設けられた背圧弁２０と、システム全体の制御を行う制御部２２とを備え、アノード１２の酸素ガス（常圧）よりも高圧の水素ガスを製造する差圧式水電解システムである。
【００１５】
水電解装置１６は、複数の単位セル２４を積層したセルユニットを備える。単位セル２４の積層方向一端には、ターミナルプレート２６ａ、絶縁プレート２８ａ及びエンドプレート３０ａが外方に向かって、順次、配設される。単位セル２４の積層方向他端には、同様にターミナルプレート２６ｂ、絶縁プレート２８ｂ及びエンドプレート３０ｂが外方に向かって、順次、配設される。エンドプレート３０ａ、３０ｂ間は、一体的に締め付け保持される。ターミナルプレート２６ａ、２６ｂの側部には、端子部３２ａ、３２ｂが外方に突出して設けられる。端子部３２ａ、３２ｂは、配線３４ａ、３４ｂを介して電解電源３６に電気的に接続される。
【００１６】
単位セル２４は、例えば、円盤状の電解質膜・電極構造体３８と、この電解質膜・電極構造体３８を挟持する円盤状のアノード側セパレータ４０及びカソード側セパレータ４２とを備える。電解質膜・電極構造体３８は、例えば、パーフルオロスルホン酸の薄膜に水が含浸された固体高分子電解質膜４６と、固体高分子電解質膜４６の両面に設けられるアノード１２及びカソード１４とを備える。
【００１７】
アノード１２は、何れも不図示ではあるが、固体高分子電解質膜４６の一方の面に形成されたアノード電極触媒層と、アノード側給電体とを有する。カソード１４は、何れも不図示ではあるが、固体高分子電解質膜４６の他方の面に形成されたカソード電極触媒層と、カソード側給電体とを有する。アノード電極触媒層は、例えば、Ｒｕ（ルテニウム）系触媒を使用する一方、カソード電極触媒層は、例えば、白金触媒を使用する。
【００１８】
単位セル２４の外周縁部には、該単位セル２４をそれぞれ積層方向に連通する、水供給連通孔５０と、排出連通孔５２と、水素連通孔５４とが設けられる。アノード側セパレータ４０の電解質膜・電極構造体３８に対向する面には、水供給連通孔５０及び排出連通孔５２に連通する第１流路５６が設けられる。この第１流路５６は、アノード側給電体の表面積に対応する範囲内に設けられるとともに、複数の流路溝や複数のエンボス等で構成される。第１流路５６には、水供給連通孔５０を介して水（純水）が供給される。また、第１流路５６は、アノード１２で発生した酸素ガス及び余剰の水を含むアノード排出流体を排出連通孔５２に排出する。
【００１９】
カソード側セパレータ４２の電解質膜・電極構造体３８に向かう面には、水素連通孔５４に連通する第２流路５８が形成される。この第２流路５８は、カソード側給電体の表面積に対応する範囲内に設けられるとともに、複数の流路溝や複数のエンボス等で構成される。第２流路５８は、カソード１４で発生した水素ガスを水素連通孔５４に排出する。
【００２０】
水電解システム１０は、水供給連通孔５０に連通する水供給流路６０と、排出連通孔５２に連通するアノード排出流路６２と、水素連通孔５４に連通する水素ガス流路１８とを有する。水供給流路６０及び水供給連通孔５０を介して水電解装置１６のアノード１２に水が供給される。アノード１２で発生したアノード排出流体は排出連通孔５２を介してアノード排出流路６２に流入する。カソード１４で発生した水素ガスは、水素連通孔５４を介して水素ガス流路１８に流入する。
【００２１】
水供給流路６０には、水供給装置６４と、水貯留装置６６と、水循環装置６８とが設けられている。水供給装置６４は、例えば水道水等から純水を生成して水貯留装置６６に供給する。水貯留装置６６は、水供給装置６４から供給された純水を貯留するタンク部７０を有する。また、水貯留装置６６は、アノード排出流路６２を介してアノード排出流体が供給され、該アノード排出流体を水と酸素ガスとに分離する。アノード排出流体から分離された水は上記の純水とともにタンク部７０に貯留され、アノード排出流体から分離された酸素ガスは酸素ガス流路７２に流入する。
【００２２】
水循環装置６８は、循環ポンプ７４及びイオン交換器７６を有する。循環ポンプ７４は、水供給流路６０及びアノード排出流路６２を介して、水貯留装置６６と水電解装置１６との間で水を循環させる。イオン交換器７６は、水供給連通孔５０に供給される前の水から不純物を除去する。
【００２３】
水素ガス流路１８には、背圧弁２０の他に、圧力センサ７８と、気液分離器８０と、脱圧弁８２と、ペルチェ冷却器８４と、温度センサ８６とが設けられている。背圧弁２０は、その閉弁時に、水素ガス流路１８のカソード１４と該背圧弁２０との間の水素ガスの圧力（以下、水素圧力ともいう）を設定圧力まで昇圧させ、該水素圧力が設定圧力に達すると開弁する。このため、水素ガス流路１８の背圧弁２０よりも後段には、設定圧力に達した高圧の水素ガスが供給される。なお、設定圧力は、例えば、１〜９０ＭＰａの範囲内で設定することができる。また、水電解システム１０で製造した製品水素ガスを例えば燃料電池自動車の水素タンク等に供給する場合には、設定圧力を７０〜８５ＭＰａの範囲内で設定することが好ましい。
【００２４】
圧力センサ７８は、水素圧力を測定して制御部２２に圧力測定値を出力する。なお、本実施形態では、圧力センサ７８は、水素ガス流路１８のカソード１４と気液分離器８０との間に配設されることとする。しかしながら、圧力センサ７８は、カソード１４と背圧弁２０との間の水素圧力を測定可能であれば、水素ガス流路１８の何れの箇所に設けられてもよい。
【００２５】
気液分離器８０は、水素ガス流路１８のカソード１４と背圧弁２０との間に設けられ、カソード１４で発生した水素ガス（以下、非処理水素ガスともいう）から水分を分離して第１除湿水素ガスとする。非処理水素ガスから分離された水分は、気液分離器８０の液体排出口８８を介して排水流路９０に流入可能となっている。排水流路９０は排水用バルブ９２によって開閉される。
【００２６】
本実施形態では、気液分離器８０には、第１除湿水素ガスを排出する排出口として、それぞれ水素ガス流路１８に連通する２個の気体排出口９４ａ、９４ｂが設けられている。このため、水素ガス流路１８は、気液分離器８０の一方の気体排出口９４ａに連通する第１水素ガス流路１８ａと、他方の気体排出口９４ｂに連通する第２水素ガス流路１８ｂとに分岐する。なお、以下では、第１水素ガス流路１８ａと第２水素ガス流路１８ｂとを総称して水素ガス流路１８ともいう。
【００２７】
第１水素ガス流路１８ａには、ペルチェ冷却器８４、温度センサ８６、背圧弁２０が水素ガスの流通方向の上流側から下流側に向かってこの順に設けられている。また、第２水素ガス流路１８ｂには脱圧弁８２が設けられている。すなわち、脱圧弁８２は、水素ガス流路１８のカソード１４とペルチェ冷却器８４との間に設けられ、該脱圧弁８２が開弁状態にあるときを除いて、第１除湿水素ガスを第１水素ガス流路１８ａに流入させる。一方、脱圧弁８２が開状態にあるときには、第１除湿水素ガスが第２水素ガス流路１８ｂを介して排出されることで、水素ガス流路１８のカソード１４と背圧弁２０との間を脱圧することが可能となっている。
【００２８】
ペルチェ冷却器８４は、水素ガス流路１８（第１水素ガス流路１８ａ）の気液分離器８０と背圧弁２０との間であって気液分離器８０より高い位置に設けられ、第１除湿水素ガスをペルチェ素子９６により冷却して、その飽和水蒸気量を低下させる。これにより、ペルチェ冷却器８４は、第１除湿水素ガスに含まれる水分をさらに分離して、所望の乾燥状態（水分量）の第２除湿水素ガスとする。第１除湿水素ガスから分離された水分は、重力により第１水素ガス流路１８ａ内を下降して気液分離器８０に流入し、上記のように非処理水素ガスから分離された水分とともに、液体排出口８８を介して排水流路９０に流入可能となっている。なお、非処理水素ガス、第１除湿水素ガス、第２除湿水素ガスを総称して単に水素ガスともいう。
【００２９】
背圧弁２０を介して水電解システム１０から排出される第２除湿水素ガス、すなわち、設定圧力まで昇圧し且つ所望の水分量まで除湿された第２除湿水素ガスが水電解システム１０により製造された製品水素ガスとなる。この製品水素ガスを、例えば、燃料電池自動車の水素タンク等に供給する場合には、第２除湿水素ガスの所望の水分量を５ｐｐｍ以下とすることが好ましい。
【００３０】
本実施形態では、ペルチェ冷却器８４は、ペルチェ素子９６の他に、ペルチェ素子９６の冷却方向に供給する駆動電流をオン又はオフするスイッチング手段９８を備える。なお、ペルチェ素子９６では、冷却方向に駆動電流を供給することで、該ペルチェ素子９６の第１除湿水素ガスと熱交換する部分の温度が低下する。一方、ペルチェ素子９６では、冷却方向と反対の加熱方向に駆動電流を供給することで、該ペルチェ素子９６の第１除湿水素ガスと熱交換する部分の温度が上昇する。また、ペルチェ冷却器８４は、何れも不図示ではあるが、ペルチェ素子９６の高温側の熱を逃すためのヒートシンク及びファン、又はペルチェ素子９６の高温側と冷媒体とを熱交換させる冷媒用配管等を備えてもよい。
【００３１】
温度センサ８６は、水素ガス流路１８のペルチェ冷却器８４（ペルチェ素子９６）の近傍に設けられ、該ペルチェ冷却器８４の周辺の温度を測定して制御部２２に温度測定値を出力する。なお、温度センサ８６は、ペルチェ冷却器８４（ペルチェ素子９６）に設けられ、該ペルチェ冷却器８４の温度を測定して温度測定値を出力することとしてもよい。
【００３２】
制御部２２は、不図示のＣＰＵやメモリ等を備えるマイクロコンピュータとして構成され、該ＣＰＵは、制御プログラムに従って所定の演算を実行し、水電解システム１０に関する種々の処理や制御を行う。また、制御部２２は、温度センサ８６による温度測定値が、圧力センサ７８による圧力測定値に対応する水の凝固点を超える目標温度となるように、ペルチェ冷却器８４による冷却温度を制御する。目標温度の少なくとも一部は、圧力測定値が高いほど低くなる。
【００３３】
具体的には、制御部２２は、図２に示すマップ図に基づき、ペルチェ素子９６の冷却方向に供給する駆動電流をスイッチング手段９８によりオン・オフ制御する。つまり、図２において、破線で示す駆動電流をオフとする判断温度（以下、オフ温度ともいう）の近傍と、実線で示す駆動電流をオンとする判断温度（以下、オン温度ともいう）の近傍との間の範囲に目標温度が設定されている。
【００３４】
ペルチェ冷却器８４で冷却される水素ガスに含まれる水の凝固点は、水素圧力に応じて変化する。つまり、水素圧力が高いほど水の凝固点は降下し、水素圧力が低いほど水の凝固点は上昇する。このため、水素圧力に応じた水の凝固点の変化に合わせて目標温度も変化するように設定され、本実施形態では、目標温度の全体が、水素圧力が高いほど低くなり、水素圧力が低いほど高くなる。なお、目標温度は、例えば、設定圧力等の所定の水素圧力以上では一定となるように設定してもよい。
【００３５】
また、目標温度は、例えば、制御部２２により冷却温度を制御する際、制御誤差が生じたり、温度測定値に温度センサ８６の測定誤差が含まれていたりした場合であっても、ペルチェ冷却器８４の周辺の温度（測定温度）、ひいては、ペルチェ冷却器８４で冷却される水素ガスの温度が、水の凝固点以下となることを回避しつつ、水の凝固点に可及的に近づくように設定されている。このように目標温度を設定することで、第１除湿水素ガスに含まれる水分が凍結することを抑制しつつ、第１除湿水素ガスの飽和水蒸気量を可及的に低下させることができる。このため、所望の水分量となるように効果的に除湿された第２除湿水素ガスを得ることが可能になる。なお、図２に示すように、例えば、水素圧力が、背圧弁２０の設定圧力以上であるとき、目標温度は０℃以下となるように設定されることが好ましい。
【００３６】
また、図１に示す制御部２２は、温度測定値が下限温度を下回った場合又は上限温度を上回った場合に脱圧弁８２を開弁する。図２に二点鎖線で示すように、下限温度は、目標温度より低く設定されている。温度測定値が下限温度を下回ると、上記の制御誤差や測定誤差の大きさによっては、水素ガスが凝固点に達し、水素ガスに含まれる水分が凍結する懸念が生じる。このため、制御部２２は、温度測定値が下限温度を下回った場合には、脱圧弁８２を開弁して、ペルチェ冷却器８４に水素ガスが供給されることを抑制する。これによって、水素ガス流路１８等が凍結した水分で閉塞されること等を回避できる。
【００３７】
一方、図２に一点鎖線で示すように、上限温度は、目標温度より高く設定されている。温度測定値が上限温度を上回ると、ペルチェ冷却器８４で第１除湿水素ガスが十分に冷却されておらず、第２除湿水素ガスが所望の水分量となるまで除湿されていない懸念が生じる。このため、制御部２２は、温度測定値が上限温度を上回った場合には、脱圧弁８２を開弁して、水素圧力を低下させることで、背圧弁２０を閉弁状態とする。これによって、水電解システム１０から所望の水分量となるまで除湿されていない製品水素ガスが供給されること等を回避できる。
【００３８】
制御部２２は、上記のように、水素圧力の関数として予め定められたオフ温度と、オン温度と、上限温度と、下限温度とを図２に示すマップの状態でメモリに記憶していてもよい。
【００３９】
さらに、制御部２２は、水電解装置１６による水の電気分解（水電解）を開始する前に、温度測定値と、予め設定された開始温度とを比較し、温度測定値が開始温度より高かった場合には、ペルチェ冷却器８４の冷却方向に対する駆動電流をオンとして冷却温度を低下させる。これによって温度測定値が開始温度に達した後に、水電解装置１６の電解電源３６をオンとして水電解を開始する。なお、開始温度は、水電解を開始して発生した水素ガスがペルチェ冷却器８４に到達した際に、該水素ガスをペルチェ冷却器８４において目標温度まで効率的に冷却することが可能となるように設定されればよい。
【００４０】
本実施形態に係る水電解システム１０は、基本的には上記のように構成される。図３に示すフローチャートに沿って、本実施形態に係る水電解システム１０の制御方法の一例を説明する。この制御方法では、水電解装置１６での水電解処理を開始する前の準備工程として、温度測定値と開始温度とを比較し、温度測定値が開始温度より高かった場合には、ペルチェ冷却器８４による冷却温度を制御して、温度測定値を開始温度まで低下させる（ステップＳ１）。
【００４１】
準備工程で温度測定値が開始温度以下であった場合、又は準備工程での冷却温度の制御により温度測定値が開始温度に達した場合、水電解装置１６による水電解を開始する水電解工程を行う（ステップＳ２）。水電解工程では、図１において、先ず、水供給装置６４により純水を生成し、水貯留装置６６のタンク部７０に供給する。また、水循環装置６８の循環ポンプ７４の作用下に、タンク部７０からイオン交換器７６を介して水電解装置１６の水供給連通孔５０に水を供給する。これによって、各単位セル２４では、水供給連通孔５０からアノード側セパレータ４０の第１流路５６に水が供給され、この水がアノード側給電体内に沿って移動する。
【００４２】
この際、ターミナルプレート２６ａ、２６ｂの端子部３２ａ、３２ｂには、電解電源３６を介して電圧が付与される。このため、アノード側給電体に供給された水は、アノード電極触媒層で電気分解され、これによって、水素イオンと、電子と、酸素ガスとが生成する。このようにして生成した水素イオンは、固体高分子電解質膜４６を透過してカソード電極触媒層に移動し、電子と結合して水素ガスとなる。つまり、カソード１４では、水素ガスが発生する。この水素ガスは、カソード側セパレータ４２とカソード側給電体との間に形成される第２流路５８に沿って流動し、水素連通孔５４を介して水素ガス流路１８へと流入する。
【００４３】
一方、アノード１２で発生した酸素ガスと、余剰（未反応）の水は、アノード排出流体として第１流路５６及び排出連通孔５２を介してアノード排出流路６２に排出される。アノード排出流路６２を介して水貯留装置６６に供給されたアノード排出流体は、酸素ガスと水に分離され、酸素ガスは酸素ガス流路７２を介して水電解システム１０の外部に排出される。水はタンク部７０に貯留され、水供給装置６４からタンク部７０に供給された純水とともに、循環ポンプ７４の作用下にイオン交換器７６で不純物を除去された後に水供給連通孔５０に再び導入される。すなわち、水供給流路６０及びアノード排出流路６２を介して、水貯留装置６６と水電解装置１６との間で水が循環する。
【００４４】
上記のように、水電解装置１６により水電解処理が行われ、水素ガスが継続して発生すると、背圧弁２０の設定圧力に達するまで水素圧力が上昇していく。この水素圧力を圧力センサ７８により測定して圧力測定値を得る圧力測定工程を行う（図３のステップＳ３）。なお、背圧弁２０は、制御部２２によって圧力測定値と設定圧力とを比較した結果に基づいて開閉制御されてもよい。
【００４５】
次に、制御部２２は、温度センサ８６で得られた温度測定値が、圧力測定工程で得られた圧力測定値に対応する水の凝固点を超える目標温度となるように、ペルチェ冷却器８４による冷却温度を制御する冷却温度制御工程を行う（図３のステップＳ４）。具体的には、図２に示すマップ図に基づき、温度測定値がオン温度以上であった場合には、ペルチェ素子９６の冷却方向に駆動電流を供給して冷却温度を低下させる。
【００４６】
一方、温度測定値がオフ温度以下であった場合には、ペルチェ素子９６に対する駆動電流の供給を停止して冷却温度を上昇させる。これによって、温度測定値が、オン温度近傍とオフ温度近傍との間に設定された目標温度となるように冷却温度を制御することができる。その結果、ペルチェ冷却器８４では、第１除湿水素ガスを、その圧力に応じて、第１除湿水素ガスに含まれる水分が凍結しない範囲で可及的に凝固点に近づけることができる。これによって、第１除湿水素ガスの飽和水蒸気量を効果的に低下させることができるため、所望の水分量まで除湿した第２除湿水素ガスを得ることが可能になる。
【００４７】
この際、背圧弁２０が閉弁しているため、水素圧力が、例えば、７０〜８５ＭＰａの範囲内で設定された設定圧力に達するまで上昇する。すなわち、水素ガス流路１８の背圧弁２０よりもカソード１４側に配設されたペルチェ冷却器８４では、常温よりも昇圧している分、飽和水蒸気量及び流速が低下した第１除湿水素ガスを冷却することになる。これによっても、第１除湿水素ガスを効果的に除湿することが可能となる。その結果、水電解システム１０では、所望の水分量とした第２除湿水素ガスを設定圧力まで昇圧させた製品水素ガスを製造することが可能になる。
【００４８】
なお、第２除湿水素ガスの水分量を効果的に低減させる観点から、目標温度の少なくとも一部は、０℃以下となることが好ましい。このため、例えば、冷却温度制御工程では、水素圧力が上記の設定圧力に達した以降の水電解システム１０の定常運転時には、０℃以下の目標温度となるように冷却温度を制御することが好ましい。上記の設定圧力まで水素圧力を上昇させた場合、該水素圧力に応じて水の凝固点も降下しているため、温度測定値を０℃以下の目標温度としても水素ガスに含まれる水分が凍結することを回避できる。
【００４９】
また、水電解システム１０では、上記のように、水電解工程により継続的に水素ガスを発生させることによる水素圧力の昇圧中に圧力測定値が変化していく場合に加え、水電解装置１６による水素ガスの発生量が低減ないしは水素ガスの発生が停止することや、他の何らかの要因で水素圧力の降圧中に圧力測定値が変化していく場合がある。これらの何れの場合であっても、上記のように、圧力測定値に対応する水の凝固点を超える目標温度となるように、冷却温度を制御することで、第１除湿水素ガスを、該第１除湿水素ガスに含まれる水分が凍結しない範囲で可及的に凝固点に近づけて、所望の水分量まで効果的に除湿した第２除湿水素ガスを得ることができる。
【００５０】
次に、制御部２２は、温度測定値が下限温度以上且つ上限温度以下の範囲にあるか否かを判定する脱圧判定工程を行う（図３のステップＳ５）。脱圧判定工程で、温度測定値が下限温度以上且つ上限温度以下の範囲にあると判定した場合（図３のステップＳ５：ＹＥＳ）には、ステップＳ３の圧力測定工程に戻る。この圧力測定工程で得られる圧力測定値に基づき、ステップＳ４の冷却温度制御工程を行うことで、圧力測定値の変動に関わらず、温度測定値が圧力測定値に応じた目標温度となるように、冷却温度を制御して、所望の水分量となる第２除湿水素ガスの製造を継続することができる。
【００５１】
一方、脱圧判定工程で、温度測定値が下限温度以上且つ上限温度以下の範囲にないと判定した場合（図３のステップＳ５：ＮＯ）、脱圧弁８２を開弁して、水素ガス流路１８のカソード１４と背圧弁２０との間を脱圧する脱圧工程を行う（図３のステップＳ６）。脱圧弁８２を開弁することで、第１除湿水素ガスは第２流路５８へと流通するため、ペルチェ冷却器８４に供給される第１除湿水素ガスの流量を低減ないしはゼロとすることができる。また、脱圧弁８２を開弁することで、水素圧力が設定圧力よりも低下するため、背圧弁２０が閉弁状態となる。
【００５２】
上記の通り、温度測定値が下限温度を下回ると、水素ガスに含まれる水分が凍結する懸念が生じる。このため、温度測定値が下限温度を下回った場合に、脱圧弁８２を開弁して、ペルチェ冷却器８４への水素ガスの供給を抑制することで、水素ガスに含まれる水分が凍結するまで冷却されて、水素ガス流路１８等が閉塞されること等を回避できる。
【００５３】
一方、温度測定値が上限温度を上回ると、水素ガスの飽和水蒸気量が十分に低下しておらず、第２除湿水素ガスが所望の水分量まで除湿されていない懸念が生じる。このため、温度測定値が上限温度を上回った場合に、脱圧弁８２を開弁して、背圧弁２０を閉弁状態とすることで、水電解システム１０から所定の水分濃度まで除湿されていない製品水素ガスが供給されること等を回避できる。
【００５４】
また、上記の通り、脱圧判定工程で、温度測定値が下限温度以上且つ上限温度以下の範囲にないと判定した場合、ペルチェ冷却器８４の冷却温度が正常に制御されていないことが懸念される。この場合、水電解装置１６の異常時や水素ガス流路１８等の閉塞時とは異なり、水電解システム１０に設けられた電解電源３６や各種電磁バルブ等の電源をオフして、アノード１２とカソード１４に差圧が生じた状態で水電解処理を強制停止したり、水素ガス流路１８に通常とは逆方向に水素ガスを流通させたりする必要性は少ない。
【００５５】
このため、上記のように、温度測定値が下限温度以上且つ上限温度以下の範囲にないと判定された場合には、水電解処理を強制停止することや、水電解装置１６に水素ガスを逆流させること等に代えて、脱圧工程を行うことで、電解質膜等の保護が容易となり、ひいては、水電解装置１６の耐久性の向上を図ること等が可能となる。
【００５６】
脱圧工程を行うことで、水素圧力が所定の圧力まで低下した後に、すなわち、水電解装置１６のアノード１２とカソード１４の差圧を十分に低減させた後に、水電解システム１０に設けられた電解電源３６や各種電磁バルブ等の電源をオフする水電解停止工程を行って（図３のステップＳ７）、本実施形態に係るフローチャートを終了する。
【００５７】
以上から、本実施形態に係る水電解システム１０及びその制御方法によれば、ペルチェ冷却器８４で冷却される水素ガスの圧力に応じて、該水素ガスに含まれる水分を凍結させることなく効果的に分離することができる。このため、ペルチェ冷却器８４を用いた小型且つ簡素な構成で、水素ガスを効果的に除湿することが可能となる。
【００５８】
上記の実施形態に係る水電解システム１０では、水素ガス流路１８のカソード１４とペルチェ冷却器８４との間に設けられ、水素ガス流路１８のカソード１４と背圧弁２０との間を脱圧可能な脱圧弁８２を備え、制御部２２は、温度測定値が目標温度より低く設定された下限温度を下回った場合又は目標温度より高く設定された上限温度を上回った場合に脱圧弁８２を開弁することとした。
【００５９】
また、上記の実施形態に係る水電解システム１０の制御方法では、冷却温度制御工程の後、温度測定値が目標温度より低く設定された下限温度以上且つ目標温度より高く設定された上限温度以下の範囲にあるか否かを判定する脱圧判定工程を行い、脱圧判定工程で、温度測定値が下限温度以上且つ上限温度以下の範囲にないと判定した場合、水素ガス流路１８のカソード１４と背圧弁２０との間に設けられた脱圧弁８２を開弁して、水素ガス流路１８のカソード１４と背圧弁２０との間を脱圧する脱圧工程を行うこととした。
【００６０】
これらの場合、ペルチェ冷却器８４の冷却温度の制御に異常が生じた場合であっても、水素ガス流路１８等が凍結した水分で閉塞されることや、所定の水分濃度まで除湿されていない製品水素ガスが製造されること等を回避できる。また、アノード１２とカソード１４に差圧が生じた状態で水電解装置１６による水電解処理を強制停止することや、水電解装置１６に水素ガスを逆流させること等を回避できるため、固体高分子電解質膜４６を容易に保護することが可能となり、水電解装置１６の耐久性を向上させることが可能となる。
【００６１】
なお、制御部２２は、温度測定値が下限温度を下回った場合又は上限温度を上回った場合以外にも脱圧弁８２を開弁する制御を行うことができる。例えば、水電解システム１０のユーザが、制御部２２に対して水電解システム１０の運転を停止する指示を行った場合等に脱圧弁８２を開弁する脱圧工程を行ってもよい。これによって、水電解装置１６のアノード１２とカソード１４の差圧を十分に低減させた後に、水電解システム１０を停止することができるため、水電解装置１６の耐久性を向上させることが可能となる。
【００６２】
上記の実施形態に係る水電解システム１０では、制御部２２は、冷却温度を制御して、温度測定値を予め設定された開始温度とした後に、水電解装置１６による水の電気分解を開始することとした。
【００６３】
また、上記の実施形態に係る水電解システム１０の制御方法では、温度測定値が予め設定された開始温度となるように、冷却温度を制御する準備工程を行った後に、水電解工程を行うこととした。
【００６４】
これらの場合、例えば、真夏等において水電解システム１０が比較的高温下にある場合であっても、水素ガスをペルチェ冷却器８４で良好に冷却することができるため、水素ガスを効率的に除湿することが可能になる。
【００６５】
上記の実施形態に係る水電解システム１０及びその制御方法では、目標温度の少なくとも一部は、０℃以下であることとした。水素ガスの圧力が、例えば、７０〜８５ＭＰａの設定圧力にあるとき、目標温度を０℃以下としても、水素ガスに含まれる水分が凍結することを回避しつつ、水素ガスの飽和水蒸気量を低下させることができるため、水素ガスに含まれる水分を効果的に分離することが可能となる。
【００６６】
本発明は、上記した実施形態に特に限定されるものではなく、その要旨を逸脱しない範囲で種々の変形が可能である。
【００６７】
例えば、上記の実施形態では、ペルチェ冷却器８４がスイッチング手段９８を備え、ペルチェ素子９６の冷却方向への駆動電流をオン・オフ制御することとした。この場合、ペルチェ冷却器８４の簡素化を良好に図ることができる。しかしながら、特にこれに限定されるものではなく、ペルチェ冷却器８４は不図示の可変電源等を備え、ペルチェ素子９６の冷却方向及び加熱方向の少なくとも一方に供給する駆動電流の大きさを調整することで、冷却温度を制御してもよい。この場合、冷却温度をより高精度に制御することが可能となる。
【００６８】
また、上記の実施形態では、気液分離器８０に、第１水素ガス流路１８ａに連通する気体排出口９４ａと第２水素ガス流路１８ｂに連通する気体排出口９４ｂとが設けられ、第２水素ガス流路１８ｂに脱圧弁８２が設けられることとした。しかしながら、特にこれに限定されるものではない。気液分離器８０には、第１水素ガス流路１８ａに連通する気体排出口９４ａのみが設けられていてもよい。また、脱圧弁８２は、水素ガス流路１８のカソード１４とペルチェ冷却器８４との間の何れの箇所に設けられていてもよい。
【符号の説明】
【００６９】
１０…水電解システム                      １２…アノード
１４…カソード                            １６…水電解装置
１８…水素ガス流路                        ２０…背圧弁
２２…制御部                              ７８…圧力センサ
８０…気液分離器                          ８２…脱圧弁
８４…ペルチェ冷却器                      ８６…温度センサ
９６…ペルチェ素子
【図１】
2020176309.tif 000003
【図２】
2020176309.tif 000004
【図３】
2020176309.tif 000005